(57)【要約】【課題】撮影機器における撮影環境が悪化している場合であっても、誘導案内を行うことができる誘導案内装置、誘導案内方法、誘導案内プログラムおよび記録媒体を提供する。【解決手段】誘導案内装置１００は、撮影部１０１により車両４００の前景をリアルタイムで撮影し、撮影した撮影画像が鮮明な鮮明画像であれば、サーバ２００に鮮明画像を記憶しておく。誘導案内装置１００は、ランドマーク等の視認性が悪化していると、過去にサーバ２００に記憶された鮮明画像を参照し、目的地への案内の目標物となる案内目標物を特定した上で、案内目標物に基づいて目的地への案内を行う。【選択図】図２
2012137320.tif 000002
【特許請求の範囲】
【請求項１】
撮影画像を用いて特定された案内の目標物となる案内目標物に基づいて誘導案内を行う誘導案内装置であって、
前記撮影画像を取得する撮影手段と、
現在の位置を特定するための位置情報を取得する位置情報取得手段と、
前記撮影手段によって取得された撮影画像が鮮明でない場合に、所定の記憶部に記憶されている鮮明画像から前記位置情報取得手段によって取得された位置情報に対応する前記鮮明画像を、前記撮影画像に代わる代替画像として取得する代替画像取得手段と、
前記代替画像取得手段により取得された前記代替画像に基づいて、前記案内目標物を特定して案内情報を生成する案内情報生成手段と、
を備えたことを特徴とする誘導案内装置。
【請求項２】
前記撮影手段によって取得された撮影画像が鮮明であれば、前記位置情報取得手段によって取得された位置情報に対応付けて前記所定の記憶部に記憶させる記憶指示手段と、
を更に備えることを特徴とする請求項１に記載の誘導案内装置。
【請求項３】
前記案内情報生成手段は、
所定の表示変更条件が成立した場合には、前記代替画像取得手段により取得された前記代替画像に基づいて前記案内目標物を特定し、
所定の表示変更条件が成立していない場合には、前記撮影手段によって取得された撮影画像に基づいて前記案内目標物を特定して、
前記案内情報を生成することを特徴とする請求項１又は請求項２に記載の誘導案内装置。
【請求項４】
画像を表示する画像表示手段と、前記画像表示手段に画像を表示させる画像表示制御手段とを更に備え
前記案内情報生成手段は、前記案内情報として、目的地への案内を行うための案内画像を生成する案内画像生成手段を有し、
前記画像表示制御手段は、前記代替画像取得手段により取得された前記代替画像及び前記案内画像生成手段によって生成された前記案内画像を前記画像表示手段に表示させることを特徴とする請求項１乃至請求項３にいずれかに記載の誘導案内装置。
【請求項５】
前記代替画像取得手段により取得された前記代替画像及び前記撮影手段によって取得された撮影画像のそれぞれから共通する目標物を特定し、特定した目標物に基づいて、前記代替画像と前記撮影画像とを照合する照合手段と、
前記照合手段による照合結果に基づいて、前記代替画像を前記画像表示手段に表示させるタイミングを調整する画像調整手段と、
を備えたことを特徴とする請求項４に記載の誘導案内装置。
【請求項６】
撮影画像を用いて特定された案内の目標物となる案内目標物に基づいて誘導案内を行う誘導案内方法であって、
前記撮影画像を取得する撮影工程と、
現在の位置を特定するための位置情報を取得する位置情報取得工程と、
前記撮影工程によって取得された撮影画像が鮮明でない場合に、所定の記憶部に記憶されている鮮明画像から前記位置情報取得工程によって取得された位置情報に対応する前記鮮明画像を、前記撮影画像に代わる代替画像として取得する代替画像取得工程と、
前記代替画像取得工程により取得された前記代替画像に基づいて、前記案内目標物を特定して案内情報を生成する案内情報生成工程と、
を含むことを特徴とする誘導案内方法。
【請求項７】
請求項６に記載の誘導案内方法をコンピュータに実行させることを特徴とする誘導案内プログラム。
【請求項８】
請求項７に記載の誘導案内プログラムを記録したことを特徴とするコンピュータに読み取り可能な記録媒体。
【発明の詳細な説明】
【技術分野】
【０００１】
本発明は、誘導案内を行うための誘導案内装置、誘導案内方法、誘導案内プログラムおよび記録媒体に関する。
【背景技術】
【０００２】
従来から、車両等に搭載した撮影機器（カメラ）によって実際の景色を撮影し、この撮影した撮影画像を用いて目的地へのルートを案内する技術が知られている。例えば、特許文献１には、撮影した撮影画像から看板やランドマーク等の目標物を認識させる画像認識を行い、画像認識された目標物を用いて目的地へのルートを案内する技術が記載されている。
【先行技術文献】
【特許文献】
【０００３】
【特許文献１】特開２００５−２４９５０４号公報
【発明の概要】
【発明が解決しようとする課題】
【０００４】
しかしながら、撮影機器によって撮影した撮影画像を用いて目的地へのルートを案内する場合において、夜間、大雨又は濃霧等の撮影環境が悪化しているときには、撮影した撮影画像が不鮮明となり、撮影した撮影画像からランドマーク等の目標物を認識できず、目標物を用いて目的地へのルートを案内することができないケースが生じる。
【０００５】
例えば、撮影環境が良好な昼間走行であれば、図１（ａ）に示すように、昼間走行中に撮影した撮影画像を用いて、「５０ｍ前方に確認できる郵便ポストを目標物に、その交差点を左です」などと案内できる。しかしながら、撮影環境が悪化している夜間走行では、図１（ｂ）に示すように、夜間走行中に撮影した撮影画像からは５０ｍ前方にある郵便ポストを認識できず、郵便ポストを目標物に目的地へのルートを案内することができない。
【０００６】
本発明の目的は、撮影機器における撮影環境が悪化している場合であっても、目標物に基づいて、誘導案内を行うことができる誘導案内装置、誘導案内方法、誘導案内プログラムおよび記録媒体を提供することである。
【課題を解決するための手段】
【０００７】
請求項１の発明にかかる誘導案内装置は、撮影画像を用いて特定された案内の目標物となる案内目標物に基づいて誘導案内を行う誘導案内装置であって、前記撮影画像を取得する撮影手段と、現在の位置を特定するための位置情報を取得する位置情報取得手段と、前記撮影手段によって取得された撮影画像が鮮明でない場合に、所定の記憶部に記憶されている鮮明画像から前記位置情報取得手段によって取得された位置情報に対応する前記鮮明画像を、前記撮影画像に代わる代替画像として取得する代替画像取得手段と、前記代替画像取得手段により取得された前記代替画像に基づいて、前記案内目標物を特定して案内情報を生成する案内情報生成手段と、を備えたことを特徴とする。
【０００８】
請求項６の発明にかかる誘導案内方法は、撮影画像を用いて特定された案内の目標物となる案内目標物に基づいて誘導案内を行う誘導案内方法であって、前記撮影画像を取得する撮影工程と、現在の位置を特定するための位置情報を取得する位置情報取得工程と、前記撮影工程によって取得された撮影画像が鮮明でない場合に、所定の記憶部に記憶されている鮮明画像から前記位置情報取得工程によって取得された位置情報に対応する前記鮮明画像を、前記撮影画像に代わる代替画像として取得する代替画像取得工程と、前記代替画像取得工程により取得された前記代替画像に基づいて、前記案内目標物を特定して案内情報を生成する案内情報生成工程と、を含むことを特徴とする。
【０００９】
請求項７の発明にかかる誘導案内プログラムは、請求項６に記載の誘導案内方法をコンピュータに実行させることを特徴とする。
【００１０】
請求項８の発明にかかる記録媒体は、請求項７に記載の誘導案内プログラムを記録したことを特徴とする。
【図面の簡単な説明】
【００１１】
【図１】従来技術における誘導案内装置の案内表示を示す図である。
【図２】誘導案内装置とサーバとのシステム構成図の一例を示す図である。
【図３】誘導案内装置及びサーバの機能的構成を示すブロック図の一例を示す図である。
【図４】誘導案内装置とサーバとのシーケンス図の一例を示す図である。
【図５】サーバにおける代替画像の記憶更新処理を示すフローチャート図の一例を示す図である。
【図６】サーバのデータベースに記憶される代替画像データ及び区間情報の概念図の一例を示す図である。
【図７】誘導案内装置における撮影画像と代替画像との画像調整処理を示すフローチャート図の一例を示す図である。
【図８】誘導案内装置における撮影画像と代替画像との画像調整処理の概念図の一例を示す図である。
【図９】誘導案内装置における案内情報生成処理を示すフローチャート図の一例を示す図である。
【図１０】誘導案内装置の案内表示の一例を示す図である。
【図１１】変形例１における誘導案内装置の機能的構成を示すブロック図の一例を示す図である。
【発明を実施するための形態】
【００１２】
（誘導案内装置とサーバとのシステム構成図）
まず、図２を参照して、誘導案内装置１００とサーバ２００とのシステム構成図について説明する。
【００１３】
本実施形態では、誘導案内装置１００は、車両４００に搭載されるナビゲーション装置で構成されている。
この誘導案内装置１００には、カメラ等の撮影部１０１が設けられ、撮影部１０１により車両４００の進行方向における前景がリアルタイムで撮影される。
【００１４】
また、誘導案内装置１００には、インターネット等の公衆回線３００と無線によりデータの送受信を行うために、アンテナ１１０が設けられている。これにより、誘導案内装置１００は、公衆回線３００を介して、サーバ２００にアクセス可能になっている。
具体的には、誘導案内装置１００からサーバ２００にデータを送信する場合には、誘導案内装置１００に設けられたアンテナ１１０からデータが無線で出力され、出力されたデータが公衆回線３００に接続された通信基地局３０１に入力される。そして、通信基地局３０１に入力されたデータがサーバ２００に送信される。サーバ２００から誘導案内装置１００にデータを送信する場合も、通信経路は逆であるものの同様である。このようにして、誘導案内装置１００とサーバ２００とは、お互いにデータを送受信可能になっている。
なお、図２において、アンテナ１１０は、車両４００から飛び出して記載されているが、誘導案内装置１００の内部に設けられていてもよいし、フィルムアンテナ等であってもよい。
【００１５】
そして、誘導案内装置１００は、撮影部１０１により撮影された撮影画像データをサーバ２００に送信して、サーバ２００のデータベースに撮影画像データを逐次記憶させる。
【００１６】
サーバ２００は、誘導案内装置１００からの撮影画像データを受信すると、受信した撮影画像データを、地図情報上の区間情報ごとに、サーバ２００のデータベースに記憶する（後述する図６参照）。
特に、サーバ２００のデータベースは、利用者毎に分かれておらず、自己の車両４００のみならず、プローブカーや第三者の車両４００からの撮影画像データも同じデータベースに記憶されるので、走行したことがないルートを走行中の車両４００であっても、第三者の車両４００からの撮影画像データを参照することができる。
【００１７】
さらに、サーバ２００は、誘導案内装置１００から特定の出力要求信号を入力すると、データベースに記憶された特定の撮影画像データを誘導案内装置１００に送信するように構成されている。詳しくは、図４の誘導案内装置１００とサーバ２００とのシーケンス図を用いて後述する。
【００１８】
（誘導案内装置及びサーバの機能的構成を示すブロック図）
次に、図３を参照して、誘導案内装置１００及びサーバ２００の機能的構成を示すブロック図について説明する。ここでは、誘導案内装置１００の機能的構成を示すブロック図について説明した後、サーバ２００の機能的構成を示すブロック図について説明することにする。
【００１９】
ここで、本実施形態では、「画像」とは、後述する画像表示部１０９に表示され、視認可能なものをいい、「画像データ」とは、画像表示部１０９に表示させるためのデータをいうものとする。
また、上述した通り「撮影画像」とは、撮影部１０１により撮影された今現在（リアルタイム）の画像をいい、後述する「代替画像」とは、上記撮影画像に代替し、上記撮影画像のうちで、過去の鮮明な画像をいう。
【００２０】
（誘導案内装置１００のブロック図）
図３に示すように、誘導案内装置１００は、
被写体（車両の前景）を撮影する撮影部１０１と、
誘導案内装置１００の制御処理を行う案内報知制御部１０２と、
様々なデータを記憶する案内装置記憶部１０３と、
車両の走行状態を検出する走行センサ１０４と、
ＧＰＳ衛星からのＧＰＳ信号を受信するＧＰＳ受信部１０５と、
データの送受信を行う通信部１０６と、
操作の入力を受け付ける操作入力部１０７と、
音声を出力する音声出力部１０８と、
画像を表示する画像表示部１０９とが備えられている。
なお、図示は省略するが、これ以外にも、案内報知を行うために様々なデバイスが誘導案内装置１００に備えられている。
【００２１】
また、案内報知制御部１０２は、例えばＣＰＵ（Ｃｅｎｔｒａｌ  Ｐｒｏｃｅｓｓｉｎｇ  Ｕｎｉｔ）から構成され、誘導案内装置１００に備えられた各種デバイスの制御処理を行う。
【００２２】
この案内報知制御部１０２は、
撮影画像を取得する撮影画像取得部１０２ａと、
速度情報を取得する速度情報取得部１０２ｂと、
現在の位置情報を取得する位置情報取得部１０２ｃと、
鮮明画像を記憶部２０３に記憶させる指示を行う記憶指示部１０２ｄと、
記憶部２０３から代替画像を取得する代替画像取得部１０２ｅと、
目的地までのルートを生成する目的地ルート生成部１０２ｆと、
目的地への案内音声を生成する案内音声生成部１０２ｇと、
音声出力部１０８の出力制御を行う音声出力制御部１０２ｈと、
表示する画像の調整を行う画像調整部１０２ｉと、
撮影画像と代替画像とを照合する照合部１０２ｊと、
目的地への案内画像を生成する案内画像生成部１０２ｋと、
画像表示部１０９の表示制御を行う画像表示制御部１０２ｍとを少なくとも備えている。
これらの案内報知制御部１０２に含まれる上記の取得部・生成部・制御部等は、バスを介して相互に接続されている。
なお、図示は省略するが、これ以外にも、案内報知を行うために様々な取得部・生成部・制御部等が案内報知制御部１０２に備えられている。
【００２３】
案内装置記憶部１０３は、ＲＡＭ（Ｒａｎｄｏｍ  Ａｃｃｅｓｓ  Ｍｅｍｏｒｙ）、ＨＤＤ（Ｈａｒｄ  ｄｉｓｋ  ｄｒｉｖｅ）、ＳＳＤ（Ｓｏｌｉｄ  Ｓｔａｔｅ  Ｄｒｉｖｅ）等の記憶装置から構成されている。
この案内装置記憶部１０３は、地図情報のデータベースを記憶する地図情報データベース１０３ａと、撮影画像を一時的に記憶する撮影画像一時記憶部１０３ｂと、代替画像を一時的に記憶する代替画像一時記憶部１０３ｃと、目標物を記憶する目標物画像データベース１０３ｄ等を有している。
また、代替画像一時記憶部１０３ｃは、複数の代替画像データが記憶できるように、所定の記憶容量が確保されている。
【００２４】
ここで、「目標物」とは、目的地への案内に参照される画像であり、看板、街灯、特定のビル、ランドマーク等を示す画像をいう。また、目標物は、夜間、大雨又は濃霧等の撮影環境が悪化しているときでも識別しやすい、反射板を利用した路側帯や標識、信号灯、街灯などの「識別目標物」と、撮影環境が悪化していると識別しにくくなる「通常目標物」とから構成されている。なお、この識別目標物と通常目標物とは、光を発生又は反射する物か否かを基本として、区分けされている。
【００２５】
撮影部１０１は、カメラ等から構成され、車両の前景を撮影し、撮影した撮影画像データを生成する。生成された撮影画像データは、撮影画像取得部１０２ａによって取得され、撮影画像一時記憶部１０３ｂに記憶される。
【００２６】
走行センサ１０４は、加速度センサ、角速度センサ等から構成され、各種信号を案内報知制御部１０２に出力する。
速度情報取得部１０２ｂは、走行センサ１０４から入力した信号に基づいて、現在の速度情報を取得する。
【００２７】
ＧＰＳ受信部１０５は、ＧＰＳ衛星から時刻のデータ、衛星の軌道情報などが含まれたＧＰＳ信号を受信する。
そして、位置情報取得部１０２ｃは、ＧＰＳ受信部１０５で受信したＧＰＳ信号と、速度情報取得部１０２ｂで取得した速度情報と、地図情報データベース１０３ａに記憶された地図情報とに基づいて、現在の位置情報を取得する。
【００２８】
通信部１０６は、入出力インターフェースであり、アンテナ１１０から無線でデータを送受信する。従って、通信部１０６は、アンテナ１１０、通信基地局３０１及び公衆回線３００を介して、サーバ２００と誘導案内装置１００とのデータのやり取りを行っている。
また、記憶指示部１０２ｄは、撮影部１０１によって撮影された撮影画像が鮮明な撮影画像であると、かかる鮮明な撮影画像を代替画像として、後述するサーバ２００の記憶部２０３に記憶させる指示を行う。かかる指示を受けて、通信部１０６は、代替画像の代替画像データを、サーバ２００に出力することになる。
これに対して、サーバ２００の記憶部２０３に記憶された代替画像データがサーバ２００から出力されると、通信部１０６が代替画像データを入力し、代替画像取得部１０２ｅが代替画像データを取得する。
【００２９】
操作入力部１０７は、ポインティングデバイスなどの入力装置や、タッチパネル式の入力装置から構成され、目的地等の情報の入力を受け付けたり、後述する「画像認識モード」の選択を受け付けたりする。
操作入力部１０７から目的地の情報の入力を受け付けると、目的地ルート生成部１０２ｆは、位置情報取得部１０２ｃによって取得された現在の位置情報と、入力された目的地の情報と、地図情報データベース１０３ａに記憶された地図情報とに基づいて、目的地まで目的地ルート情報を生成する。
また、操作入力部１０７から「画像認識モード」の選択を受け付けると、サーバ２００に対して、サーバ２００の記憶部２０３に記憶された代替画像データを要求する指示を行う。
【００３０】
ここで、「画像認識モード」とは、案内表示方法の一形態を示すものである。本実施形態においては、案内表示方法として、「画像認識モード」と「通常認識モード」との２つの案内表示方法を備えている。
このうち、「通常認識モード」は、夜間、大雨又は濃霧等の撮影環境の有無にかかわらず、リアルタイムに撮影した撮影画像を用いて案内表示を行うものであり、「画像認識モード」は、リアルタイムに撮影した撮影画像の代わりに、サーバ２００に記憶されている鮮明な代替画像を用いて案内表示を行うものである。
【００３１】
音声出力部１０８は、例えばスピーカ等から構成され、音声の出力を行う。
案内音声生成部１０２ｇは、目的地への案内音声を生成し、音声出力制御部１０２ｈが生成された案内音声を音声出力部１０８に出力させる。
【００３２】
画像表示部１０９は、例えば液晶表示装置、有機ＥＬディスプレイ等から構成され、画像の表示を行う。
照合部１０２ｊは、代替画像取得部１０２ｅによって取得された代替画像データと、撮影画像取得部１０２ａによって取得された撮影画像データとを照合する。画像調整部１０２ｉは、照合部１０２ｊによる照合結果に基づいて、画像表示部１０９に表示させる画像を調整しながら、画像表示部１０９に表示させる表示画像を決定する。案内画像生成部１０２ｋは、画像調整部１０２ｉによって決定された表示画像に基づいて、目的地への案内画像を生成する。画像表示制御部１０２ｍは、案内画像生成部１０２ｋによって生成された案内画像及び画像調整部１０２ｉによって決定された表示画像を画像表示部１０９に表示させる。
【００３３】
（サーバ２００のブロック図）
次に、サーバ２００の機能的構成を示すブロック図について説明する。
図３に示すように、サーバ２００は、公衆回線３００（図２において図示）からのデータを送受信する通信部２０１と、サーバ２００の制御処理を行うサーバ制御部２０２と、様々なデータを記憶する記憶部２０３等を備えている。
【００３４】
通信部２０１は、入出力インターフェースであり、公衆回線３００を介して誘導案内装置１００とデータを送受信する。従って、通信部２０１は、公衆回線３００を介して、サーバ２００と誘導案内装置１００とのデータのやり取りを行っている。
【００３５】
サーバ制御部２０２は、例えばＣＰＵから構成され、サーバ２００に関する制御処理を行い、記憶部２０３にデータを記憶させたり、記憶部２０３からデータを読み出して、読み出したデータを出力させたりする。
【００３６】
記憶部２０３は、ＲＡＭ、ＨＤＤ、ＳＳＤ等の記憶装置から構成されている。そして、記憶部２０３は、代替画像データのデータベースを記憶する代替画像データベース２０３ａ等を有している。
この代替画像データベース２０３ａは、誘導案内装置１００から受信した撮影画像データを代替画像として記憶しているデータベースであり、サーバ制御部２０２により適宜更新される。代替画像データベース２０３ａは、図６で後述するように、地図情報の区間情報と走行速度区分（速度情報）とで区分けされている。
【００３７】
（誘導案内装置とサーバとのシーケンス図）
図４を参照して、誘導案内装置１００とサーバ２００とのシーケンス図について説明する。
【００３８】
ステップＳ１０において、誘導案内装置１００の案内報知制御部１０２は、加速度センサ、角速度センサ等の走行センサ１０４から入力した信号に基づいて、現在の速度情報を取得する速度情報取得処理を行う。
【００３９】
ステップＳ２０において、誘導案内装置１００の案内報知制御部１０２は、ＧＰＳ衛星からのＧＰＳ信号を受信し、受信したＧＰＳ信号、上記ステップＳ１０において取得した速度情報及び地図情報データベース１０３ａに記憶された地図情報に基づいて、現在の位置情報を取得する位置情報取得処理を行う。
【００４０】
ステップＳ３０において、誘導案内装置１００の案内報知制御部１０２は、操作入力部１０７から目的地の情報の入力を受け付けると、操作入力部１０７により入力された目的地の情報、上記ステップＳ２０において取得した現在の位置情報及び地図情報データベース１０３ａに記憶された地図情報に基づいて、目的地まで目的地ルート情報を生成する目的地ルート生成処理を行う。
【００４１】
ステップＳ４０において、誘導案内装置１００の案内報知制御部１０２は、撮影部１０１から撮影された撮影画像データを取得する撮影処理を行う。
【００４２】
ステップＳ５０において、誘導案内装置１００の案内報知制御部１０２は、上記ステップＳ４０で取得した撮影画像データを撮影画像一時記憶部１０３ｂに一時的に記憶させる撮影画像記憶処理を行う。
【００４３】
ステップＳ６０において、誘導案内装置１００の案内報知制御部１０２は、撮影画像一時記憶部１０３ｂに記憶されている撮影画像データが、鮮明な撮影画像であるか否かを判定する鮮明判定処理を行う。
この鮮明判定処理としては、まず、目標物画像データベース１０３ｄを参照し、撮影画像データから画像認識処理により目標物を抽出する。そして、抽出した目標物の数が所定数以上であるか否かで判定することを行う。
なお、この鮮明判定処理として、目標物を抽出せずに、撮影画像の表示色の数が所定数以上か否か等で判定を行ってもよい。
また、現在の時刻の情報や、天気の情報等をインターネット上のサイト等から情報を取得して、当該鮮明判定処理を行うようにしてもよい。例えば、時刻がＰＭ６：００以降である場合や、天気が雨である場合には、「鮮明な撮影画像でない」と判断するようにしてもよい。
【００４４】
ステップＳ７０において、誘導案内装置１００の案内報知制御部１０２は、上記ステップＳ６０において鮮明な撮影画像であると判定されれば、鮮明な撮影画像データを、サーバ２００の記憶部２０３に記憶させる記憶指示処理を行う。
具体的には、この記憶指示処理では、サーバ制御部２０２に鮮明な撮影画像データを代替画像データベース２０３ａに記憶させる指示を行う記憶指示データと、鮮明な撮影画像データと、上記ステップＳ６０で判定された撮影画像データと、上記ステップＳ１０で取得された速度情報と、上記ステップＳ２０で取得された位置情報とを、サーバ２００に送信する。
【００４５】
ステップＳ２１０において、サーバ２００のサーバ制御部２０２は、誘導案内装置１００から上記ステップＳ７０の記憶指示があると、受信した撮影画像データが更新条件を満たしていれば、受信した撮影画像データを更新して記憶させる更新記憶処理を行う。
この更新記憶処理については、詳しくは、図５及び図６を用いて説明する。
【００４６】
ステップＳ８０において、誘導案内装置１００の案内報知制御部１０２は、「画像認識モード」が選択されているか否かの画像認識モード確認処理を行う。具体的には、操作入力部１０７から画像認識モードの選択を受け付けたか否かによって確認を行う。
ここで、画像認識モードが選択されていれば、次のステップＳ９０に処理を移し、画像認識モードが選択されていなければ、次のステップＳ９０の処理は行わずに、ステップＳ１２０に処理を移す。
本実施形態では、「所定の表示変更条件」として、操作入力部１０７から画像認識モードの選択を受け付けることとした。これにより、利用者が時間帯や視認性の状況を判断して、サーバ２００にある代替画像データを利用するかどうか決めることができる。
しかしながら、「所定の表示変更条件」として、操作入力部１０７から画像認識モードの選択を受け付けることによらずに、夜間、大雨又は濃霧等の撮影環境が悪化していることを判定する判定部を設けて、判定部が撮影環境が悪化していると判定したことを条件としてもよい。これによれば、自動的に画像認識モードを選択させることができる。
【００４７】
ステップＳ９０において、誘導案内装置１００の案内報知制御部１０２は、代替画像データベース２０３ａから、現在の位置情報及び速度情報に対応する代替画像を要求する代替画像要求処理を行う。
具体的には、この代替画像要求処理では、サーバ制御部２０２に代替画像データベース２０３ａに記憶されている代替画像データを出力させる出力要求データと、上記ステップＳ１０において取得した速度情報と、上記ステップＳ２０において取得した現在の位置情報と、「利用者情報」とをサーバ２００に送信する。
ここで、「利用者情報」とは、目的地ルート情報を生成していれば、その目的地ルート情報を、目的地ルート情報を生成していなければ、ここまでの走行履歴情報を意味する。
【００４８】
ステップＳ２２０において、サーバ２００のサーバ制御部２０２は、受信した速度情報、位置情報及び利用者情報（目的地ルート情報、走行履歴情報）に基づいて、利用者の走行ルートを予測し、利用者に対応する代替画像データを準備する走行ルート予測処理を行う。
例えば、利用者情報として目的地ルート情報を入力していれば、目的地までのルート上から、これから走行する走行ルートを予測する。また、利用者情報として走行履歴情報を入力していれば、利用者の車両４００が向かっている方向にあり、目的地として最も設定されやすいランドマーク等までのルート上から、走行ルートを予測する。
なお、走行ルートを予測に関しては、上述したものに限られるものではなく、適宜周知技術の走行ルートの予測を用いることができる。
【００４９】
ステップＳ２３０において、サーバ２００のサーバ制御部２０２は、上記ステップＳ２２０における予測に基づいて、最適な代替画像データを選択して送信する。
【００５０】
ステップＳ１００において、誘導案内装置１００の案内報知制御部１０２は、サーバ２００から代替画像データを受信して、代替画像一時記憶部１０３ｃに記憶する。
【００５１】
ステップＳ１１０において、誘導案内装置１００の案内報知制御部１０２は、画像表示部１０９に表示させる画像を調整する画像調整処理を行う。この画像調整処理については、詳しくは、図７及び図８を用いて説明する。
【００５２】
ステップＳ１２０において、誘導案内装置１００の案内報知制御部１０２は、画像表示部１０９に表示させる画像に基づいて、目的地への案内を行うための案内画像及び案内音声を生成する案内情報生成処理を行う。この案内情報生成処理についても、詳しくは、図７及び図８を用いて説明する。
【００５３】
ステップＳ１３０において、誘導案内装置１００の案内報知制御部１０２は、目的地への案内を行うための案内報知処理を行う。
この案内報知処理は、上記ステップＳ１１０で調整された画像及び上記ステップＳ１２０で生成された案内画像を画像表示部１０９に表示させるとともに、上記ステップＳ１２０で生成された案内音声を音声出力部１０８に出力させる処理を行う。
【００５４】
（サーバにおける代替画像の記憶更新処理）
上記ステップＳ２１０において概要を説明した記憶更新処理について、図５のフローチャート図を用いて、図６の記憶更新処理の概念図とともに、詳しく説明する。
【００５５】
まず、ステップＳ２１０−１において、サーバ２００のサーバ制御部２０２は、位置情報に対応する地図情報上の区間情報を取得する。
この「区間情報」とは、図６（ｂ）に示すように、地図情報上に予め定められた区間を意味する。
【００５６】
まず、ステップＳ２１０−２において、サーバ２００のサーバ制御部２０２は、代替画像データベース２０３ａから区間情報に対応するレコードを参照し、参照したレコードから受信した速度情報に対応するフィールドを特定する。
【００５７】
まず、ステップＳ２１０−３において、サーバ２００のサーバ制御部２０２は、特定したフィールドに画像データ（パケットデータ）が記憶されているか否かを判定する。
サーバ制御部２０２は、特定したフィールドに画像データが記憶されていないと判定すれば、ステップＳ２１０−４に処理を移し、特定したフィールドに画像データが記憶されていると判定すれば、ステップＳ２１０−５に処理を移す。
【００５８】
まず、ステップＳ２１０−４において、サーバ２００のサーバ制御部２０２は、特定したフィールドに、新たに受信した撮影画像データを、代替画像データとして更新して記憶する。
【００５９】
まず、ステップＳ２１０−５において、サーバ２００のサーバ制御部２０２は、特定したフィールドに既に画像データが記憶されていれば、既に記憶されている画像データと新たに受信した鮮明な撮影画像データとを比較して、新たに受信した鮮明な撮影画像データが「更新条件」が成立しているデータであるか否かを判定する。
そして、サーバ制御部２０２は、更新条件が成立していると判定すれば、ステップＳ２１０−４に処理を移して、新たに受信した撮影画像データを更新して記憶し、更新条件が成立していないと判定すれば、新たに受信した撮影画像データを更新せずに、今回の記憶更新処理を終了する。
【００６０】
ここで、「更新条件」とは、上記ステップＳ６０と同様に、特定したフィールドに既に記憶されている画像データ及び新たに受信した撮影画像データから、それぞれ目標物を抽出して、抽出した目標物の数が新たに受信した撮影画像データの方が多ければ、更新条件が成立しているものとする。これにより、鮮明な画像を更新させて記憶していくことができる。
なお、「更新条件」としては、上記目標物の数を比較したことによる更新条件に限られず、撮影画像データの更新時間を更新条件としてもよい。
具体的には、撮影画像データに日時を示す日時情報も対応させておき、既に記憶されている画像データの日時情報と新たに受信した撮影画像データの日時情報とを比較し、所定の時間差（差分）以上である場合（例えば、１週間以上更新されていない場合）に、更新条件が成立しているものとすることもできる。これにより、いくら鮮明な画像といえども、古い画像データがいつまでも記憶されることがなくなる。
もちろん、上記目標物の数を比較したことによる更新条件と、上記日時情報の時間差を比較したことによる更新条件とを組み合わせてもよい。
【００６１】
以上の記憶更新処理について、図６（ａ）を用いて、代替画像データベース２０３ａが更新される概念について説明する。
図６（ａ）に示すように、代替画像データベース２０３ａは、区間情報と速度情報とに基づいて、データベースが構築されている。
そして、新たに撮影画像データ（パケットデータ）を受信した場合には、新たな撮影画像データに対応する位置情報と速度情報とから、フィールドを特定し（ステップＳ２１０−２参照）、特定したフィールドに記憶されているデータと新たな撮影画像データとを比較して、特定したフィールドにデータが取得されていない場合又は更新条件が成立している場合には、新たな撮影画像データに置き換えられる（ステップＳ２１０−３〜ステップＳ２１０−５参照）。
特に、上述した通り、代替画像データベース２０３ａには、自己の車両４００のみならず、プローブカーや第三者の車両４００からの撮影画像データも更新して記憶されることから、走行したことがないルートであっても代替画像データを参照できたり、より多くの代替画像データを収集したりすることができる。
【００６２】
なお、本実施形態では、区間情報と速度情報とに基づいて、代替画像データベース２０３ａを構築したが、区間情報だけで構築してもよいし、区間情報と速度情報の他に、時間情報（朝・昼・夕方の時間情報）、車両情報（大型車用・普通車用）等を含めて構築してもよい。
【００６３】
（誘導案内装置における画像調整処理）
上記ステップＳ１１０において概要を説明した画像調整処理について、図７のフローチャート図を用いて、図８の画像調整処理の概念図とともに、詳しく説明する。
【００６４】
まず、ステップＳ１１０−１において、誘導案内装置１００の案内報知制御部１０２は、目標物画像データベース１０３ｄを参照し、上記ステップＳ４０で取得された撮影画像データ（撮影画像一時記憶部１０３ｂに記憶された撮影画像データ）から、撮影環境が悪化しているときでも識別しやすい識別目標物を特定する特定処理を行う。
【００６５】
同様に、ステップＳ１１０−２において、誘導案内装置１００の案内報知制御部１０２は、目標物画像データベース１０３ｄを参照し、上記ステップＳ１００で受信した代替画像データ（代替画像一時記憶部１０３ｃに記憶された最新の代替画像データ）から、上記識別目標物を特定する特定処理を行う。
【００６６】
ステップＳ１１０−３において、誘導案内装置１００の案内報知制御部１０２は、上記ステップＳ１１０−１及びステップＳ１１０−２で特定された識別目標物を、照合する照合処理を行う。
この照合処理は、撮影画像データと代替画像データとで共通する識別目標物を特定した上で、共通する識別目標物の大きさや表示位置のズレ（差分）を特定する。
【００６７】
ステップＳ１１０−４において、誘導案内装置１００の案内報知制御部１０２は、共通する識別目標物の大きさや表示位置のズレが、所定の範囲内のものであるか否かを判定する。すなわち、共通する識別目標物のズレが小さいか否かを判定する。
案内報知制御部１０２は、共通する識別目標物のズレが所定の範囲内のものであると判定すれば、ステップＳ１１０−５に処理を移し、共通する識別目標物のズレが所定の範囲内のものでないと判定すれば、ステップＳ１１０−６に処理を移す。
なお、上記「予め定められた所定の範囲」としてのズレの範囲は、速度情報によって変化させることが望ましい。すなわち、速度情報が大きいと（高速であると）、ズレの範囲も予め大きくしておき、速度情報が小さいと（低速であると）、ズレの範囲も予め小さくしておくことが望ましい。
【００６８】
ステップＳ１１０−５において、誘導案内装置１００の案内報知制御部１０２は、共通する識別目標物のズレが小さいものであると、最新の代替画像データに対応する代替画像を、画像表示部１０９に表示させる表示画像として決定する。
【００６９】
ステップＳ１１０−６において、誘導案内装置１００の案内報知制御部１０２は、共通する識別目標物のズレが大きいものであると、過去に受信した代替画像データ（代替画像一時記憶部１０３ｃに記憶された古い代替画像データ）から、リアルタイムに撮影されている撮影画像データを基準として、最適な代替画像を検索する検索処理を行う。
この検索処理では、過去に受信した代替画像データからも識別目標物を特定し、撮影画像データの識別目標物を基準として、最も撮影画像データの識別目標物とのズレが小さい撮影画像データを、最適な代替画像として検索する。
【００７０】
ステップＳ１１０−７において、誘導案内装置１００の案内報知制御部１０２は、上記ステップＳ１１０−６で検索した最適な代替画像を、画像表示部１０９に表示させる表示画像として決定する。
【００７１】
以上の画像調整処理について、図８を用いて、画像表示部１０９に表示させる表示画像が決定される概念について説明する。
図８は、「上段部」に撮影部１０１からリアルタイムに撮影されている撮影画像データの撮影画像から特定された識別目標物（街灯１２０ａ、１２０ｂ）が表され、「中段部」にサーバ２００から受信した代替画像データの代替画像から特定された識別目標物が表され、「下段部」に画像表示部１０９に表示させる表示画像が表され、「最下部」に時間の経過を示す下線が表されている。また、今回の説明では、各画像は、左から１フレーム目の画像、２フレーム目の画像と表現することにする。
【００７２】
基本的には代替画像データは地図情報とリンクされているため、およそ走行中の撮影画像データと代替画像データとは適合するようなタイミングで使用される。
しかし、代替画像データの代替画像は、現在の走行速度などと状況が異なるため、代替画像データとリアルタイムに撮影されている撮影画像データとの調整が必要となってくる。
【００７３】
そこで、実際の撮影画像データの撮影画像で視認性が悪い中でも確認できる「識別目標物」（例えば、高速道路での反射板を利用した路側帯や標識、信号灯、街灯など）があった場合、代替画像データとリアルタイムに撮影されている撮影画像データとで、画像認識を使ってその「識別目標物」を照合させる（上記ステップＳ１１０−１〜Ｓ１１０−３参照）。
【００７４】
例えば、図８では、３フレーム目の代替画像では街灯１２０ａが現れるが、３フレーム目の撮影画像を参照すると、街灯１２０ａは実際にはまだ現れていない。すなわち、車両４００の現在の走行速度が、当初サーバ２００が予測したときよりも遅くなっている。
そこで、リアルタイムに撮影されている３フレーム目の撮影画像データを基準として、最適な代替画像の検索処理を行う（上記ステップＳ１１０−６参照）。
そうすると、３フレーム目には、２フレーム目の代替画像が表示画像として決定され、画像表示部１０９に表示される（上記ステップＳ１１０−７参照）。
【００７５】
４フレーム目に関しては、代替画像の街灯１２０ｂの位置と撮影画像の街灯１２０ａの位置とのズレが大きい。
このため、４フレーム目の撮影画像の街灯１２０ａを基準として、最適な代替画像の検索を検索する。そうすると、３フレーム目の代替画像が最適な代替画像として決定されるので、４フレーム目には、３フレーム目の代替画像が表示画像として決定され、画像表示部１０９に表示される。
以降は同様に、代替画像データとリアルタイムに撮影されている撮影画像データとの調整を行っていく。
【００７６】
以上のように、代替画像データとリアルタイムに撮影されている撮影画像データとの調整を行っていくことで、精度高く代替画像データと実際の走行中の前景が合うようになる。
【００７７】
（誘導案内装置における案内情報生成処理）
上記ステップＳ１２０において概要を説明した案内情報生成処理について、図９のフローチャート図を用いて詳しく説明する。
【００７８】
まず、ステップＳ１２０−１において、誘導案内装置１００の案内報知制御部１０２は、案内表示方法として画像認識モードであるか否かを判定する。
案内報知制御部１０２は、画像認識モードであると判定すれば、ステップＳ１２０−２に処理を移し、画像認識モードでないと判定すれば、ステップＳ１２０−３に処理を移す。
【００７９】
ステップＳ１２０−２において、誘導案内装置１００の案内報知制御部１０２は、画像認識モードであると、目標物画像データベース１０３ｄを参照し、上記ステップＳ１１０−５又はステップＳ１１０−６で決定された表示画像のデータ（代替画像データ）から目標物を特定し、上記ステップＳ３０で生成された目的地ルート情報等に基づいて、目標物のうち「案内目標物」を特定する。
ここで、「案内目標物」とは、目的地への案内に最も適した目標物であり、例えば、左折を案内する場合には、目標物のうち左折箇所に最も近い場所になる目標物を意味する。
【００８０】
ステップＳ１２０−３において、誘導案内装置１００の案内報知制御部１０２は、画像認識モードでないと、目標物画像データベース１０３ｄを参照し、上記ステップＳ４０で取得された撮影画像データ（撮影画像一時記憶部１０３ｂに記憶された撮影画像データ）から目標物を特定し、上記ステップＳ３０で生成された目的地ルート情報等に基づいて、目標物のうち「案内目標物」を特定する。
【００８１】
ステップＳ１２０−４において、誘導案内装置１００の案内報知制御部１０２は、上記ステップＳ１２０−２又はステップＳ１２０−３で特定された「案内目標物」に基づいて、目的地への案内を行うための案内画像を生成する。
【００８２】
ステップＳ１２０−５において、誘導案内装置１００の案内報知制御部１０２は、上記ステップＳ１２０−２又はステップＳ１２０−３で特定された「案内目標物」に基づいて、目的地への案内を行うための案内音声を生成して、今回の案内情報生成処理を終了する。
【００８３】
（誘導案内装置の案内表示）
以上により説明した誘導案内装置１００において、画像認識モードであるときの目的地への案内表示の一例について、図１０を用いて説明する。
【００８４】
通常であれば、図１０（ａ）に示すように、画像表示部１０９において、現在の位置情報、地図情報及び目的地ルート情報に基づいた地図画像が表示される。また、画像表示部１０９の画面左上には、目的地への情報が表示されている。
ここで、図１０（ａ）では、２次元の地図画像が表示されているが、３次元の地図画像を表示しても構わない。
【００８５】
案内箇所が近づくと、図１０（ｂ）に示すように、画像表示部１０９において２画面表示になり、左側の画面では、図１０（ａ）と同様の地図画像が表示される。一方、右側の画面では、代替画像データに基づく代替画像が表示されるとともに、案内画像として、ビル手前を左折する矢印画像が表示される。
さらに、音声出力部１０８から、「次の左側のビルの手前で左折してください」という案内音声が出力される。
【００８６】
これにより、撮影部１０１により撮影された撮影画像では、左側のビル等の目標物の視認性が悪化しているときでも、代替画像により目標物を事前に認識させて案内を行うことができる。
【００８７】
（変形例１）
上記実施形態では、代替画像データを記憶するための代替画像データベース２０３ａをサーバ２００に備えるように構成したが、図１１に示すように、誘導案内装置１００の案内装置記憶部１０３に記憶させてもよい。
【００８８】
図１１は、変形例１における誘導案内装置１００の機能的構成を示すブロック図の一例を示す図である。図１１において、上記実施形態の図３と共通のものについては、同じ番号を付し、説明を省略する。
【００８９】
図１１に示すように、案内装置記憶部１０３は、地図情報データベース１０３ａと、撮影画像一時記憶部１０３ｂと、代替画像一時記憶部１０３ｃと、目標物画像データベース１０３ｄの他に、代替画像データベース１０３ｅを記憶している。
従って、案内装置記憶部１０３は、サーバと代替画像データの送受信をする必要がなく、素早く代替画像データを読み込むことができる。
【００９０】
この場合には、図４に示したサーバ側におけるステップＳ２１０〜２３０の処理は、案内装置記憶部１０３（案内報知制御部１０２）で行えばよい。
【００９１】
なお、変形例１のように、案内装置記憶部１０３に代替画像データベース１０３ｅを備えた場合であっても、代替画像データベース１０３ｅは、利用者自身の撮影部１０１により撮影された鮮明な撮影画像データのみを記憶するとは限られない。
すなわち、誘導案内装置１００は、所定の時間毎又は誘導案内装置１００からサーバへの所定の要求毎に、サーバから更新データとして、第三者が撮影した撮影画像データを含む新たな代替画像データを入力して、代替画像データベース１０３ｅに記憶させてもよい。
【００９２】
（その他の変形例）
また、本実施形態では、誘導案内装置１００は、車両４００に搭載されたナビゲーション装置で構成されているが、バイクや自転車に搭載されるナビゲーション装置であってもよいし、携帯型のナビゲーション装置であってもよい。さらには、スマートフォンのような携帯端末機であってもよい。
【００９３】
また、本実施形態では、誘導案内装置１００は、位置情報の特定や代替画像データベース２０３ａ、１０３ｅに速度情報を用いているが、速度情報を用いなくてもよい。
【００９４】
また、本実施形態では、誘導案内装置１００は、案内情報として「案内画像」及び「案内音声」を生成しているが、いずれか一方のみ生成してもよい。従って、「画像表示部１０９」及び「音声出力部１０８」のいずれか一方のみで誘導案内を行ってもよい。
【符号の説明】
【００９５】
１００              誘導案内装置
１０１              撮影部
１０２              案内報知制御部
１０２ａ            撮影画像取得部
１０２ｂ            速度情報取得部
１０２ｃ            位置情報取得部
１０２ｄ            記憶指示部
１０２ｅ            代替画像取得部
１０２ｆ            目的地ルート生成部
１０２ｇ            案内音声生成部
１０２ｈ            音声出力制御部
１０２ｉ            画像調整部
１０２ｊ            照合部
１０２ｋ            案内画像生成部
１０２ｍ            画像表示制御部
１０３              案内装置記憶部
１０４              走行センサ
１０５              ＧＰＳ受信部
１０６              通信部
１０７              操作入力部
１０８              音声出力部
１０９              画像表示部
２００              サーバ
２０１              通信部
２０２              サーバ制御部
２０３              記憶部
【図２】
2012137320.tif 000003
【図３】
2012137320.tif 000004
【図４】
2012137320.tif 000005
【図５】
2012137320.tif 000006
【図６】
2012137320.tif 000007
【図７】
2012137320.tif 000008
【図９】
2012137320.tif 000009
【図１０】
2012137320.tif 000010
【図１１】
2012137320.tif 000011
【図１】
2012137320.tif 000012
【図８】
2012137320.tif 000013